(57)【要約】【課題】少ないデータ量でデータ保存媒体が付された記録媒体の真贋判定を行うことができるデータ書込み装置および機器制御装置を提供すること。【解決手段】データ保存媒体が付された記録媒体における前記データ保存媒体の位置を表わす位置データを検出する保存媒体位置検出手段１１０と、位置データをデータ保存媒体に書込むデータ書込み手段１５０と、によって構成され、記録媒体の真贋判定は、データ保存媒体に書込まれた位置データと記録媒体におけるデータ保存媒体の位置を比較することによって行われる。【選択図】　図１
2004110275.tif 000002
【特許請求の範囲】
【請求項１】
データ保存媒体が付された記録媒体における前記データ保存媒体の位置を表わす位置データを検出する保存媒体位置検出手段と、
前記位置データを前記データ保存媒体に書込むデータ書込み手段と、を備えたことを特徴とするデータ書込み装置。
【請求項２】
前記データ書込み装置は、前記記録媒体における前記位置データによって表された位置を中心に予め設定された範囲に描画された画像を読取る保存媒体周辺画像読取手段と、
前記保存媒体周辺画像読取手段によって読取られた画像に基づいて周辺画像データを生成する周辺画像データ生成手段と、をさらに備え、
前記データ書込み手段が、前記位置データを前記データ保存媒体に書込むとともに、前記周辺画像データを前記データ保存媒体に書込むようにしたことを特徴とする請求項１に記載のデータ書込み装置。
【請求項３】
前記データ書込み装置は、前記記録媒体における前記位置データによって表される位置を中心に予め設定された範囲に描画された画像を読取る保存媒体周辺画像読取手段と、
前記保存媒体周辺画像読取手段によって読取られた画像を文字データに変換して周辺文字データを生成する周辺文字データ生成手段と、をさらに備え、
前記データ書込み手段が、前記位置データを前記データ保存媒体に書込むとともに、前記周辺文字データを前記データ保存媒体に書込むようにしたことを特徴とする請求項１に記載のデータ書込み装置。
【請求項４】
データ保存媒体が付された記録媒体における予め決められた位置データおよび範囲データを格納するデータ格納手段と、
前記記録媒体における前記位置データによって表わされた位置を中心に前記範囲データによって表わされた範囲に描画された画像を読取る特定画像読取手段と、
前記特定部位画像読込手段によって読取られた画像に基づいて特定画像データを生成する特定画像データ生成手段と、
前記位置データと前記範囲データと前記特定画像データとを前記データ保存媒体に書込むデータ書込み手段と、を備えたことを特徴とするデータ書込み装置。
【請求項５】
記録媒体に記録されたデータと記録媒体に付されたデータ保存媒体に記録されたデータとに基づいて所定の処理を実行するデータ処理機器を制御する機器制御装置において、
前記データ保存媒体に書込まれている第１の位置データを読み込むデータ読込手段と、
前記データ保存媒体が付された前記記録媒体における前記データ保存媒体の第２の位置データを検出する保存媒体位置検出手段と、
前記第１の位置データと前記第２の位置データとが同一か否かを判定するデータ同一判定手段と、
前記データ同一判定手段によって前記第１の位置データと前記第２の位置データとが同一であると判定された場合には前記データ処理機器による前記所定の処理の実行を許容し、前記データ同一判定手段によって前記第１の位置データと前記第２の位置データとが同一ではないと判定された場合には前記データ処理機器による前記所定の処理の実行を禁止する処理実行制御手段と、を備えたことを特徴とする機器制御装置。
【請求項６】
記録媒体に記録されたデータと記録媒体に付されたデータ保存媒体に記録されたデータとに基づいて所定の処理を実行するデータ処理機器を制御する機器制御装置において、
前記データ保存媒体に書込まれている位置データと第１の周辺画像データとを読み込むデータ読込手段と、
前記記録媒体における前記位置データによって表された位置を中心に予め設定された範囲に描画された画像を読取る保存媒体周辺画像読取手段と、
前記保存媒体周辺画像読取手段によって読取られた画像に基づいて第２の周辺画像データを生成する周辺画像データ生成手段と、
前記第１の周辺画像データと前記第２の周辺画像データとが同一か否かを判定するデータ同一判定手段と、
前記データ同一判定手段によって前記第１の周辺画像データと前記第２の周辺画像データとが同一であると判定された場合には前記データ処理機器による前記所定の処理の実行を許容し、前記データ同一判定手段によって前記第１の周辺画像データと前記第２の周辺画像データとが同一ではないと判定された場合には前記データ処理機器による前記所定の処理の実行を禁止する処理実行制御手段と、を備えたことを特徴とする機器制御装置。
【請求項７】
記録媒体に記録されたデータと記録媒体に付されたデータ保存媒体に記録されたデータとに基づいて所定の処理を実行するデータ処理機器を制御する機器制御装置において、
前記データ保存媒体に書込まれている位置データと第１の周辺画像データとを読み込むデータ読込手段と、
前記記録媒体における前記位置データによって表された位置を中心に予め設定された範囲に描画された画像を読取る保存媒体周辺画像読取手段と、
前記保存媒体周辺画像読取手段によって読取られた画像を文字データに変換して第２の周辺文字データを生成する周辺文字データ認識生成手段と、
前記第１の周辺文字データと前記第２の周辺文字データとが同一か否かを判定するデータ同一判定手段と、
前記データ同一判定手段によって前記第１の周辺文字データと前記第２の周辺文字データとが同一であると判定された場合には前記データ処理機器による前記所定の処理の実行を許容し、前記データ同一判定手段によって前記第１の周辺文字データと前記第２の周辺文字データとが同一ではないと判定された場合には前記データ処理機器による前記所定の処理の実行を禁止する処理実行制御手段と、を備えたことを特徴とする機器制御装置。
【請求項８】
記録媒体に記録されたデータと記録媒体に付されたデータ保存媒体に記録されたデータとに基づいて所定の処理を実行するデータ処理機器を制御する機器制御装置において、
前記データ保存媒体に書込まれている位置データと範囲データと第１の特定画像データとを読み込むデータ読込手段と、
前記記録媒体における前記位置データによって表わされた位置を中心に前記範囲データによって表わされた範囲に描画された画像を読取る特定画像読取手段と、
前記特定部位画像読込手段によって読取られた画像に基づいて第２の特定画像データを生成する特定画像データ生成手段と、
前記第１の特定画像データと前記第２の特定画像データとが同一か否かを判定するデータ同一判定手段と、
前記データ同一判定手段によって前記第１の特定画像データと前記第２の特定画像データとが同一であると判定された場合には前記データ処理機器による前記所定の処理の実行を許容し、前記データ同一判定手段によって前記第１の特定画像データと前記第２の特定画像データとが同一ではないと判定された場合には前記データ処理機器による前記所定の処理の実行を禁止する処理実行制御手段と、を備えたことを特徴とする機器制御装置。
【発明の詳細な説明】
【０００１】
【発明の属する技術分野】
本発明は、電子回路チップなどのデータ保存媒体が付された有価証券、パスポートなどの記録媒体の真贋判定を容易に行うことができるデータ書込み装置および機器制御装置に関するものである。
【０００２】
【従来の技術】
従来、紙幣や有価証券等の真贋判定方法として、紙幣や有価証券等のシートに、電子回路チップを装着してシートに印刷されている可視情報を暗号化して電子回路チップに格納し、可視情報と電子回路チップに格納されている情報とを比較して真贋判定を行うものが知られている（例えば、特許文献１参照）。
【０００３】
【特許文献１】
国際公開番号ＷＯ００／３４９２３
【０００４】
【発明が解決しようとする課題】
しかしながら、このような従来の真贋判定方法では、可視情報を暗号化したデータなどのデータ量が比較的大きなデータを電子回路チップに格納するために、電子回路チップなどのデータ保存媒体のデータ格納容量を大きくしなくてはならないという問題があった。
【０００５】
本発明はこのような問題を解決するためになされたもので、少ないデータ量でデータ保存媒体が付された記録媒体の真贋判定を行うことができるデータ書込み装置および機器制御装置を提供するものである。
【０００６】
【課題を解決するための手段】
本発明の請求項１に係るデータ書込み装置は、データ保存媒体が付された記録媒体における前記データ保存媒体の位置を表わす位置データを検出する保存媒体位置検出手段と、前記位置データを前記データ保存媒体に書込むデータ書込み手段と、を備えた構成を有している。
【０００７】
この構成により、記録媒体におけるデータ保存媒体の位置を予めデータ保存媒体に書込むために、記録媒体におけるデータ保存媒体の位置を検出することによって、限られた少ないデータ量で効率的に記録媒体の真贋判定をすることができる。
また、記録媒体におけるデータ保存媒体の位置を表す位置データが予めデータ保存媒体に書込まれ、記録媒体の改ざんによってデータ保存媒体の位置が変化されても、容易に記録媒体の改ざんを検出することができるため、データ保存媒体の転用による記録媒体の改ざんおよび偽造を防止することができる。
【０００８】
本発明の請求項２に係るデータ書込み装置は、請求項１において、前記データ書込み装置は、前記記録媒体における前記位置データによって表された位置を中心に予め設定された範囲に描画された画像を読取る保存媒体周辺画像読取手段と、前記保存媒体周辺画像読取手段によって読取られた画像に基づいて周辺画像データを生成する周辺画像データ生成手段と、をさらに備え、前記データ書込み手段が、前記位置データを前記データ保存媒体に書込むとともに、前記周辺画像データを前記データ保存媒体に書込むようにした構成を有している。
【０００９】
この構成により、記録媒体におけるデータ保存媒体の位置を表す位置データとデータ保存媒体の周辺の画像データが予めデータ保存媒体に書込まれているために、データ保存媒体の周辺の画像データを検出することによって、限られた少ないデータ量で効率的に記録媒体の真贋判定をすることができる。
また、記録媒体におけるデータ保存媒体の位置を表す位置データとデータ保存媒体の周辺の画像データが予めデータ保存媒体に書込まれているために、データ保存媒体の転用による記録媒体の改ざんおよび偽造を容易に検出することができるため、データ保存媒体の転用による記録媒体の改ざんおよび偽造を防止することができる。
【００１０】
本発明の請求項３に係るデータ書込み装置は、請求項１において、前記記録媒体における前記位置データによって表される位置を中心に予め設定された範囲に描画された画像を読取る保存媒体周辺画像読取手段と、前記保存媒体周辺画像読取手段によって読取られた画像を文字データに変換して周辺文字データを生成する周辺文字データ生成手段と、をさらに備え、前記データ書込み手段が、前記位置データを前記データ保存媒体に書込むとともに、前記周辺文字データを前記データ保存媒体に書込むようにした構成を有している。
【００１１】
この構成により、記録媒体におけるデータ保存媒体の位置を表す位置データとデータ保存媒体の周辺の文字データが予めデータ保存媒体に書込まれているために、データ保存媒体の周辺の文字データを検出することによって、限られた少ないデータ量で効率的に記録媒体の真贋判定をすることができる。
また、記録媒体におけるデータ保存媒体の位置を表す位置データとデータ保存媒体の周辺の文字データが予めデータ保存媒体に書込まれているために、データ保存媒体の転用による記録媒体の改ざんおよび偽造を容易に検出することができるため、データ保存媒体の転用による記録媒体の改ざんおよび偽造を防止することができる。
【００１２】
本発明の請求項４に係るデータ書込み装置は、データ保存媒体が付された記録媒体における予め決められた位置データおよび範囲データを格納するデータ格納手段と、前記記録媒体における前記位置データによって表わされた位置を中心に前記範囲データによって表わされた範囲に描画された画像を読取る特定画像読取手段と、前記特定部位画像読込手段によって読取られた画像に基づいて特定画像データを生成する特定画像データ生成手段と、前記位置データと前記範囲データと前記特定画像データとを前記データ保存媒体に書込むデータ書込み手段と、を備えた構成を有している。
【００１３】
この構成により、記録媒体における特定部分を表す位置データと範囲データと特定部分の画像データが予めデータ保存媒体に書込まれているために、記録媒体の特定部分の画像データを検出することによって、限られた少ないデータ量で効率的に記録媒体の真贋判定をすることができる。
また、記録媒体における特定部分を表す位置データと範囲データと特定部分の画像データが予めデータ保存媒体に書込まれているために、データ保存媒体の転用による記録媒体の改ざんおよび偽造を容易に検出することができるため、データ保存媒体の転用による記録媒体の改ざんおよび偽造を防止することができる。
【００１４】
本発明の請求項５に係る機器制御装置は、記録媒体に記録されたデータと記録媒体に付されたデータ保存媒体に記録されたデータとに基づいて所定の処理を実行するデータ処理機器を制御する機器制御装置において、前記データ保存媒体に書込まれている第１の位置データを読み込むデータ読込手段と、前記データ保存媒体が付された前記記録媒体における前記データ保存媒体の第２の位置データを検出する保存媒体位置検出手段と、前記第１の位置データと前記第２の位置データとが同一か否かを判定するデータ同一判定手段と、前記データ同一判定手段によって前記第１の位置データと前記第２の位置データとが同一であると判定された場合には前記データ処理機器による前記所定の処理の実行を許容し、前記データ同一判定手段によって前記第１の位置データと前記第２の位置データとが同一ではないと判定された場合には前記データ処理機器による前記所定の処理の実行を禁止する処理実行制御手段と、を備えた構成を有している。
【００１５】
この構成により、記録媒体に付されたデータ保存媒体に予め書込まれた第１の位置データが読み込まれ、記録媒体に付されたデータ保存媒体の位置を表す第２の位置データが検出され、第１の位置データと第２の位置データとが同一か否かの判定によるデータ量の少ないデータの比較による真贋判定ができるため、データ処理機器における改ざんおよび偽造された記録媒体に係るデータ処理を容易に禁止させることができる。
【００１６】
本発明の請求項６に係る機器制御装置は、記録媒体に記録されたデータと記録媒体に付されたデータ保存媒体に記録されたデータとに基づいて所定の処理を実行するデータ処理機器を制御する機器制御装置において、前記データ保存媒体に書込まれている位置データと第１の周辺画像データとを読み込むデータ読込手段と、前記記録媒体における前記位置データによって表された位置を中心に予め設定された範囲に描画された画像を読取る保存媒体周辺画像読取手段と、前記保存媒体周辺画像読取手段によって読取られた画像に基づいて第２の周辺画像データを生成する周辺画像データ生成手段と、前記第１の周辺画像データと前記第２の周辺画像データとが同一か否かを判定するデータ同一判定手段と、前記データ同一判定手段によって前記第１の周辺画像データと前記第２の周辺画像データとが同一であると判定された場合には前記データ処理機器による前記所定の処理の実行を許容し、前記データ同一判定手段によって前記第１の周辺画像データと前記第２の周辺画像データとが同一ではないと判定された場合には前記データ処理機器による前記所定の処理の実行を禁止する処理実行制御手段と、を備えた構成を有している。
【００１７】
この構成により、記録媒体に付されたデータ保存媒体に予め書込まれたデータ保存媒体の周辺画像データが読み込まれ、記録媒体に付されたデータ保存媒体の周辺画像データが検出され、双方の周辺画像データが同一か否かの判定によるデータ量の少ないデータの比較による真贋判定ができるため、データ処理機器における改ざんおよび偽造された記録媒体に係るデータ処理を容易に禁止させることができる。
【００１８】
本発明の請求項７に係る機器制御装置は、記録媒体に記録されたデータと記録媒体に付されたデータ保存媒体に記録されたデータとに基づいて所定の処理を実行するデータ処理機器を制御する機器制御装置において、前記データ保存媒体に書込まれている位置データと第１の周辺画像データとを読み込むデータ読込手段と、前記記録媒体における前記位置データによって表された位置を中心に予め設定された範囲に描画された画像を読取る保存媒体周辺画像読取手段と、前記保存媒体周辺画像読取手段によって読取られた画像を文字データに変換して第２の周辺文字データを生成する周辺文字データ認識生成手段と、前記第１の周辺文字データと前記第２の周辺文字データとが同一か否かを判定するデータ同一判定手段と、前記データ同一判定手段によって前記第１の周辺文字データと前記第２の周辺文字データとが同一であると判定された場合には前記データ処理機器による前記所定の処理の実行を許容し、前記データ同一判定手段によって前記第１の周辺文字データと前記第２の周辺文字データとが同一ではないと判定された場合には前記データ処理機器による前記所定の処理の実行を禁止する処理実行制御手段と、を備えた構成を有している。
【００１９】
この構成により、記録媒体に付されたデータ保存媒体に予め書込まれたデータ保存媒体の周辺文字データが読み込まれ、記録媒体に付されたデータ保存媒体の周辺文字データが検出され、双方の周辺文字データが同一か否かの判定によるデータ量の少ないデータの比較による真贋判定ができるため、データ処理機器における改ざんおよび偽造された記録媒体に係るデータ処理を容易に禁止させることができる。
【００２０】
本発明の請求項８に係る機器制御装置は、記録媒体に記録されたデータと記録媒体に付されたデータ保存媒体に記録されたデータとに基づいて所定の処理を実行するデータ処理機器を制御する機器制御装置において、前記データ保存媒体に書込まれている位置データと範囲データと第１の特定画像データとを読み込むデータ読込手段と、前記記録媒体における前記位置データによって表わされた位置を中心に前記範囲データによって表わされた範囲に描画された画像を読取る特定画像読取手段と、前記特定部位画像読込手段によって読取られた画像に基づいて第２の特定画像データを生成する特定画像データ生成手段と、前記第１の特定画像データと前記第２の特定画像データとが同一か否かを判定するデータ同一判定手段と、前記データ同一判定手段によって前記第１の特定画像データと前記第２の特定画像データとが同一であると判定された場合には前記データ処理機器による前記所定の処理の実行を許容し、前記データ同一判定手段によって前記第１の特定画像データと前記第２の特定画像データとが同一ではないと判定された場合には前記データ処理機器による前記所定の処理の実行を禁止する処理実行制御手段と、を備えた構成を有している。
【００２１】
この構成により、記録媒体に付されたデータ保存媒体に予め書込まれた記録媒体における特定部分を表す位置データと範囲データと特定部分の画像データとが読み込まれ、特定部分の画像データが検出され、双方の画像データが同一か否かの判定によるデータ量の少ないデータの比較による真贋判定ができるため、データ処理機器における改ざんおよび偽造された記録媒体に係るデータ処理を容易に禁止させることができる。
【００２２】
【発明の実施の形態】
以下、本発明の実施の形態について、図面を参照して説明する。
【００２３】
（第１の実施の形態）
図１は、本発明の第１の実施の形態のデータ書込み装置１００の構成を示すブロック図である。
データ書込み装置１００は、データ保存媒体が付された記録媒体におけるデータ保存媒体の位置を表わす位置データを検出する保存媒体位置検出手段１１０と、位置データをデータ保存媒体に書込むデータ書込み手段１５０と、によって構成される。
【００２４】
ここで、記録媒体は、例えば、紙に第１のデータが印刷されているもので、有価証券、銀行通帳、パスポート、免許証、定期などである。また、第１のデータとは、例えば、文字および図柄を含むものである。
【００２５】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【００２６】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【００２７】
保存媒体位置検出手段１１０は、データ保存媒体が付された記録媒体におけるデータ保存媒体の位置を表わす位置データを検出し、検出した位置データをデータ書込み手段１５０に出力するようになっている。
【００２８】
データ書込み手段１５０には、保存媒体位置検出手段１１０によって出力されて位置データが入力されるようになっており、データ書込み手段１５０は、入力された位置データを記録媒体に付されたデータ保存媒体に書込むようになっている。
【００２９】
次に、本発明の第１の実施の形態のデータ書込み装置１００の動作について説明する。
図２は、本発明の第１の実施の形態のデータ書込み装置１００の動作の流れを示すフローチャートである。
【００３０】
まず、データ保存媒体が付された記録媒体におけるデータ保存媒体の位置を表わす位置データが保存媒体位置検出手段１１０によって検出される（Ｓ２１０）。
次に、保存媒体位置検出手段１１０によって検出された位置データがデータ書込み手段１５０によってデータ保存媒体に書込まれる（Ｓ２２０）。
【００３１】
なお、複数のデータ保存媒体が記録媒体に付されている場合には、複数のデータ保存媒体の中から特定のデータ保存媒体が選択され、記録媒体における選択されたデータ保存媒体の位置データが検出され、検出された位置データが選択されたデータ保存媒体に書込まれるようになっていてもよい。
【００３２】
また、複数のデータ保存媒体が記録媒体に付されている場合には、記録媒体における各データ保存媒体の位置データがそれぞれ検出され、検出された位置データがそれぞれのデータ保存媒体に書込まれるようになっていてもよい。
【００３３】
このように、データ書込み装置１００によれば、記録媒体におけるデータ保存媒体の位置を予めデータ保存媒体に書込むために、記録媒体におけるデータ保存媒体の位置を検出することによって、限られた少ないデータ量で効率的に記録媒体の真贋判定をすることができる。
また、記録媒体におけるデータ保存媒体の位置を表す位置データが予めデータ保存媒体に書込まれ、記録媒体の改ざんによってデータ保存媒体の位置が変化されても、容易に記録媒体の改ざんを検出することができるため、データ保存媒体の転用による記録媒体の改ざんおよび偽造を防止することができる。
【００３４】
図３は、本発明の第１の実施の形態の機器制御装置３００の構成を示すブロック図である。
機器制御装置３００は、記録媒体に記録されたデータと記録媒体に付されたデータ保存媒体に記録されたデータとに基づいて所定の処理を実行するデータ処理機器を制御するものであって、データ保存媒体に書込まれている第１の位置データを読み込むデータ読込手段３１０と、データ保存媒体が付された記録媒体におけるデータ保存媒体の第２の位置データを検出する保存媒体位置検出手段３２０と、第１の位置データと第２の位置データとが同一か否かを判定するデータ同一判定手段３６０と、データ同一判定手段３６０によって第１の位置データと第２の位置データとが同一であると判定された場合にはデータ処理機器による所定の処理の実行を許容し、データ同一判定手段３６０によって第１の位置データと第２の位置データとが同一ではないと判定された場合にはデータ処理機器による所定の処理の実行を禁止する処理実行制御手段３９０と、によって構成される。
【００３５】
なお、機器制御装置３００は、データ書込み装置１００によって位置データが書込まれたデータ保存媒体が付された記録媒体を処理するものである。
【００３６】
ここで、記録媒体は、例えば、紙に第１のデータが印刷されているもので、有価証券、銀行通帳、パスポート、免許証、定期などである。また、第１のデータとは、例えば、文字および図柄を含むものである。
【００３７】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【００３８】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【００３９】
ここで、上述のデータ処理機器とは、例えば、複写機、ファクシミリ、ＣＤ−ＲＯＭ再生装置、ＩＣカードリーダなどであり、記録媒体の形態によって異なるものである。
【００４０】
データ読込手段３１０は、データ保存媒体に書込まれている第１の位置データを読み込み、読み込まれた第１の位置データをデータ同一判定手段３６０に出力するようになっている。
【００４１】
保存媒体位置検出手段３２０は、データ保存媒体が付された記録媒体におけるデータ保存媒体の第２の位置データを検出し、検出された第２の位置データをデータ同一判定手段３６０に出力するようになっている。
【００４２】
データ同一判定手段３６０には、データ読込手段３１０によって出力された第１の位置データと保存媒体位置検出手段３２０によって出力された第２の位置データとが入力されるようになっており、データ同一判定手段３６０は、入力された第１の位置データと第２の位置データとが同一か否かを判定して判定結果情報を生成し、生成された判定結果情報を処理実行制御手段３９０に出力するようになっている。
【００４３】
処理実行制御手段３９０には、データ同一判定手段３６０によって出力された判定結果情報が入力されるようになっている。
入力された判定結果情報によって第１の位置データと第２の位置データとが同一であると示されている場合には、処理実行制御手段３９０は、データ処理機器による所定の処理の実行を許容するようになっている。
入力された判定結果情報によって第１の位置データと第２の位置データとが同一ではないと示されている場合には、処理実行制御手段３９０は、データ処理機器による所定の処理の実行を禁止するようになっている。
【００４４】
なお、データ処理機器による所定の処理の実行を許容された場合には、処理実行制御手段３９０は、さらに、データ処理機器による記録媒体に記録されたデータと記録媒体に付されたデータ保存媒体に記録されたデータとに基づいた所定の処理の実行を制御するようになっている。
【００４５】
次に、本発明の第１の実施の形態の機器制御装置３００の動作について説明する。
図４は、本発明の第１の実施の形態の機器制御装置３００の動作の流れを示すフローチャートである。
【００４６】
まず、データ保存媒体に書込まれている第１の位置データがデータ読込手段３１０によって読み込まれ（Ｓ４１０）、データ保存媒体が付された記録媒体におけるデータ保存媒体の第２の位置データが保存媒体位置検出手段３２０によって検出される（Ｓ４２０）。
【００４７】
次いで、データ読込手段３１０によって読み込まれた第１の位置データと保存媒体位置検出手段３２０によって検出された第２の位置データとが同一か否かがデータ同一判定手段３６０によって判定される（Ｓ４３０）。
【００４８】
データ同一判定手段３６０によって第１の位置データと第２の位置データとが同一であると判定された場合には、データ処理機器による所定の処理の実行が処理実行制御手段３９０によって許容され（Ｓ４４０）、データ同一判定手段３６０によって第１の位置データと第２の位置データとが同一ではないと判定された場合には、データ処理機器による所定の処理の実行が処理実行制御手段３９０によって禁止される（Ｓ４５０）。
【００４９】
なお、複数のデータ保存媒体が記録媒体に付され、さらに、各データ保存媒体にそれぞれの位置データが書込まれている場合には、全てのデータ保存媒体について第１の位置データと第２の位置データとが同一か否かが判定され、判定に応じてデータ処理機器による所定の処理の実行が許容または禁止されるようになっていてもよい。
【００５０】
このように、機器制御装置３００によれば、記録媒体に付されたデータ保存媒体に予め書込まれた第１の位置データが読み込まれ、記録媒体に付されたデータ保存媒体の位置を表す第２の位置データが検出され、第１の位置データと第２の位置データとが同一か否かの判定によるデータ量の少ないデータの比較による真贋判定ができるため、データ処理機器における改ざんおよび偽造された記録媒体に係るデータ処理を容易に禁止させることができる。
【００５１】
（第２の実施の形態）
図５は、本発明の第２の実施の形態のデータ書込み装置５００の構成を示すブロック図である。
データ書込み装置５００は、データ保存媒体が付された記録媒体におけるデータ保存媒体の位置を表わす位置データを検出する保存媒体位置検出手段５１０と、記録媒体における位置データによって表された位置を中心に予め設定された範囲に描画された画像を読取る保存媒体周辺画像読取手段５２０と、保存媒体周辺画像読取手段５２０によって読取られた画像に基づいて周辺画像データを生成する周辺画像データ生成手段５３０と、位置データと周辺画像データとをデータ保存媒体に書込むデータ書込み手段５５０と、によって構成される。
【００５２】
ここで、記録媒体は、例えば、紙に第１のデータが印刷されているもので、有価証券、銀行通帳、パスポート、免許証、定期などである。また、第１のデータとは、例えば、文字および図柄を含むものである。
【００５３】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【００５４】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【００５５】
保存媒体位置検出手段５１０は、データ保存媒体が付された記録媒体におけるデータ保存媒体の位置を表わす位置データを検出し、検出した位置データを保存媒体周辺画像読取手段５２０およびデータ書込み手段５５０に出力するようになっている。
【００５６】
保存媒体周辺画像読取手段５２０には、保存媒体位置検出手段５１０によって出力された位置データが保存媒体周辺画像読取手段５２０に入力されるようになっており、保存媒体周辺画像読取手段５２０は、記録媒体における位置データによって表された位置を中心に予め設定された範囲に描画された画像を読取り、周辺画像データ生成手段５３０は、保存媒体周辺画像読取手段５２０によって読取られた画像に基づいて周辺画像データを生成し、生成された周辺画像データをデータ書込み手段５５０に出力するようになっている。
なお、周辺画像データは、暗号化されたものでもよい。
【００５７】
データ書込み手段５５０には、保存媒体位置検出手段５１０によって出力された位置データと周辺画像データ生成手段５３０によって出力された周辺画像データが入力されるようになっており、データ書込み手段５５０は、入力された位置データと周辺画像データとを記録媒体に付されたデータ保存媒体に書込むようになっている。
【００５８】
次に、本発明の第２の実施の形態のデータ書込み装置５００の動作について説明する。
図６は、本発明の第２の実施の形態のデータ書込み装置５００の動作の流れを示すフローチャートである。
【００５９】
まず、データ保存媒体が付された記録媒体におけるデータ保存媒体の位置を表わす位置データが保存媒体位置検出手段５１０によって検出される（Ｓ６１０）。
【００６０】
次に、記録媒体における保存媒体位置検出手段５１０によって検出された位置データによって表された位置を中心に予め設定された範囲に描画された画像が保存媒体周辺画像読取手段５２０によって読取られ、保存媒体周辺画像読取手段５２０によって読取られた画像に基づいて周辺画像データが周辺画像データ生成手段５３０によって生成される（Ｓ６２０）。
【００６１】
次に、保存媒体位置検出手段５１０によって検出された位置データと周辺画像データ生成手段５３０によって生成された周辺画像データとがデータ書込み手段５５０によってデータ保存媒体に書込まれる（Ｓ６３０）。
【００６２】
なお、複数のデータ保存媒体が記録媒体に付されている場合には、複数のデータ保存媒体の中から特定のデータ保存媒体が選択され、選択されたデータ保存媒体に係る位置データが検出されるとともに周辺画像データが生成され、検出された位置データと生成された周辺画像データとが選択されたデータ保存媒体に書込まれるようになっていてもよい。
【００６３】
また、複数のデータ保存媒体が記録媒体に付されている場合には、全てのデータ保存媒体に係る位置データが検出されるとともに周辺画像データが生成され、それぞれの位置データと周辺画像データとが各データ保存媒体に書込まれるようになっていてもよい。
【００６４】
このように、データ書込み装置５００によれば、記録媒体におけるデータ保存媒体の位置を表す位置データとデータ保存媒体の周辺の画像データが予めデータ保存媒体に書込まれているために、データ保存媒体の周辺の画像データを検出することによって、限られた少ないデータ量で効率的に記録媒体の真贋判定をすることができる。
また、記録媒体におけるデータ保存媒体の位置を表す位置データとデータ保存媒体の周辺の画像データが予めデータ保存媒体に書込まれているために、データ保存媒体の転用による記録媒体の改ざんおよび偽造を容易に検出することができるため、データ保存媒体の転用による記録媒体の改ざんおよび偽造を防止することができる。
【００６５】
図７は、本発明の第２の実施の形態の機器制御装置７００の構成を示すブロック図である。
機器制御装置７００は、記録媒体に記録されたデータと記録媒体に付されたデータ保存媒体に記録されたデータとに基づいて所定の処理を実行するデータ処理機器を制御するものであって、前記データ保存媒体に書込まれている位置データと第１の周辺画像データとを読み込むデータ読込手段７１０と、記録媒体における位置データによって表された位置を中心に予め設定された範囲に描画された画像を読取る保存媒体周辺画像読取手段７３０と、保存媒体周辺画像読取手段７３０によって読取られた画像に基づいて第２の周辺画像データを生成する周辺画像データ生成手段７４０と、第１の周辺画像データと第２の周辺画像データとが同一か否かを判定するデータ同一判定手段７６０と、データ同一判定手段７６０によって第１の周辺画像データと第２の周辺画像データとが同一であると判定された場合にはデータ処理機器による所定の処理の実行を許容し、データ同一判定手段７６０によって第１の周辺画像データと第２の周辺画像データとが同一ではないと判定された場合にはデータ処理機器による所定の処理の実行を禁止する処理実行制御手段７９０と、によって構成される。
【００６６】
なお、機器制御装置７００は、データ書込み装置５００によって位置データおよび周辺画像データが書込まれたデータ保存媒体が付された記録媒体を処理するものである。
【００６７】
ここで、記録媒体は、例えば、紙に第１のデータが印刷されているもので、有価証券、銀行通帳、パスポート、免許証、定期などである。また、第１のデータとは、例えば、文字および図柄を含むものである。
【００６８】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【００６９】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【００７０】
ここで、上述のデータ処理機器とは、例えば、複写機、ファクシミリ、ＣＤ−ＲＯＭ再生装置、ＩＣカードリーダなどであり、記録媒体の形態によって異なるものである。
【００７１】
データ読込手段７１０は、データ保存媒体に書込まれている位置データと第１の周辺画像データとを読み込み、読み込まれた位置データを保存媒体周辺画像読取手段７３０に出力し、読み込まれた第１の周辺画像データをデータ同一判定手段７６０に出力するようになっている。
【００７２】
保存媒体周辺画像読取手段７３０には、データ読込手段７１０によって出力された位置データが入力されるようになっており、保存媒体周辺画像読取手段７３０は、記録媒体における位置データによって表された位置を中心に予め設定された範囲に描画された画像を読取り、周辺画像データ生成手段７４０は、保存媒体周辺画像読取手段７３０によって読取られた画像に基づいて第２の周辺画像データを生成し、生成された第２の周辺画像データをデータ同一判定手段７６０に出力するようになっている。
【００７３】
データ同一判定手段７６０には、データ読込手段７１０によって出力された第１の周辺画像データと周辺画像データ生成手段７４０によって出力された第２の周辺画像データが入力されるようになっており、データ同一判定手段７６０は、入力された第１の周辺画像データと第２の周辺画像データとが同一か否かを判定して判定結果情報を生成し、生成された判定結果情報を処理実行制御手段７９０に出力するようになっている。
【００７４】
処理実行制御手段７９０には、データ同一判定手段７６０によって出力された判定結果情報が入力されるようになっている。
入力された判定結果情報によって第１の周辺画像データと第２の周辺画像データとが同一であると示されている場合には、処理実行制御手段７９０は、データ処理機器による所定の処理の実行を許容するようになっている。
入力された判定結果情報によって第１の周辺画像データと第２の周辺画像データとが同一ではないと示されている場合には、処理実行制御手段７９０は、データ処理機器による所定の処理の実行を禁止するようになっている。
【００７５】
なお、データ処理機器による所定の処理の実行を許容された場合には、処理実行制御手段７９０は、さらに、データ処理機器による記録媒体に記録されたデータと記録媒体に付されたデータ保存媒体に記録されたデータとに基づいた所定の処理の実行を制御するようになっている。
【００７６】
次に、本発明の第２の実施の形態の機器制御装置７００の動作について説明する。
図８は、本発明の第２の実施の形態の機器制御装置７００の動作の流れを示すフローチャートである。
【００７７】
まず、データ保存媒体に書込まれている位置データと第１の周辺画像データとがデータ読込手段７１０によって読み込まれる（Ｓ８１０）。
次に、記録媒体におけるデータ読込手段７１０によって読み込まれた位置データによって表された位置を中心に予め設定された範囲に描画された画像が保存媒体周辺画像読取手段７３０によって読取られ、保存媒体周辺画像読取手段７３０によって読取られた画像に基づいた第２の周辺画像データが周辺画像データ生成手段７４０によって生成される（Ｓ８２０）。
【００７８】
次いで、データ読込手段７１０によって読み込まれた第１の周辺画像データと周辺画像データ生成手段７４０によって生成された第２の周辺画像データとが同一か否かがデータ同一判定手段７６０によって判定される（Ｓ８３０）。
【００７９】
データ同一判定手段７６０によって第１の周辺画像データと第２の周辺画像データとが同一であると判定された場合には、データ処理機器による所定の処理の実行が処理実行制御手段７９０によって許容され（Ｓ８４０）、データ同一判定手段７６０によって第１の周辺画像データと第２の周辺画像データとが同一ではないと判定された場合には、データ処理機器による所定の処理の実行が処理実行制御手段７９０によって禁止される（Ｓ８５０）。
【００８０】
なお、複数のデータ保存媒体が記録媒体に付され、さらに、各データ保存媒体にそれぞれの位置データと第１の周辺画像データが書込まれている場合には、全てのデータ保存媒体について第１の周辺画像データと第２の周辺画像データとが同一か否かが判定され、判定に応じてデータ処理機器による所定の処理の実行が許容または禁止されるようになっていてもよい。
【００８１】
このように、機器制御装置７００によれば、記録媒体に付されたデータ保存媒体に予め書込まれたデータ保存媒体の周辺画像データが読み込まれ、記録媒体に付されたデータ保存媒体の周辺画像データが検出され、双方の周辺画像データが同一か否かの判定によるデータ量の少ないデータの比較による真贋判定ができるため、データ処理機器における改ざんおよび偽造された記録媒体に係るデータ処理を容易に禁止させることができる。
【００８２】
（第３の実施の形態）
図９は、本発明の第３の実施の形態のデータ書込み装置９００の構成を示すブロック図である。
データ書込み装置９００は、データ保存媒体が付された記録媒体におけるデータ保存媒体の位置を表わす位置データを検出する保存媒体位置検出手段９１０と、記録媒体における位置データによって表された位置を中心に予め設定された範囲に描画された画像を読取る保存媒体周辺画像読取手段９２０と、保存媒体周辺画像読取手段９２０によって読取られた画像を文字データに変換して周辺文字データを生成する周辺文字データ生成手段９４０と、位置データと周辺文字データとをデータ保存媒体に書込むデータ書込み手段９５０と、によって構成される。
【００８３】
ここで、記録媒体は、例えば、紙に第１のデータが印刷されているもので、有価証券、銀行通帳、パスポート、免許証、定期などである。また、第１のデータとは、例えば、文字および図柄を含むものである。
【００８４】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【００８５】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【００８６】
保存媒体位置検出手段９１０は、データ保存媒体が付された記録媒体におけるデータ保存媒体の位置を表わす位置データを検出し、検出した位置データを保存媒体周辺画像読取手段９２０およびデータ書込み手段９５０に出力するようになっている。
【００８７】
保存媒体周辺画像読取手段９２０には、保存媒体位置検出手段９１０によって出力された位置データが保存媒体周辺画像読取手段９２０に入力されるようになっており、保存媒体周辺画像読取手段９２０は、記録媒体における位置データによって表された位置を中心に予め設定された範囲に描画された画像を読取り、周辺文字データ生成手段９４０は、保存媒体周辺画像読取手段９２０によって読取られた画像を文字データに変換して周辺文字データを生成し、生成された周辺文字データをデータ書込み手段９５０に出力するようになっている。
なお、周辺文字データは、暗号化されたものでもよい。
【００８８】
データ書込み手段９５０には、保存媒体位置検出手段９１０によって出力された位置データと周辺文字データ生成手段９４０によって出力された周辺文字データとが入力されるようになっており、データ書込み手段９５０は、入力された位置データと周辺文字データとを記録媒体に付されたデータ保存媒体に書込むようになっている。
【００８９】
次に、本発明の第３の実施の形態のデータ書込み装置９００の動作について説明する。
図１０は、本発明の第２の実施の形態のデータ書込み装置９００の動作の流れを示すフローチャートである。
【００９０】
まず、データ保存媒体が付された記録媒体におけるデータ保存媒体の位置を表わす位置データが保存媒体位置検出手段９１０によって検出される（Ｓ１０１０）。
【００９１】
次に、記録媒体における保存媒体位置検出手段９１０によって検出された位置データによって表された位置を中心に予め設定された範囲に描画された画像が保存媒体周辺画像読取手段９２０によって読取られ、保存媒体周辺画像読取手段９２０によって読取られた画像が文字データに変換され周辺文字データが周辺文字データ生成手段９４０によって生成される（Ｓ１０２０）。
【００９２】
次に、保存媒体位置検出手段９１０によって検出された位置データと周辺文字データ生成手段９４０によって生成された周辺文字データとがデータ書込み手段９５０によってデータ保存媒体に書込まれる（Ｓ１０３０）。
【００９３】
なお、複数のデータ保存媒体が記録媒体に付されている場合には、複数のデータ保存媒体の中から特定のデータ保存媒体が選択され、選択されたデータ保存媒体に係る位置データが検出されるとともに周辺文字データが生成され、検出された位置データと生成された周辺文字データとが選択されたデータ保存媒体に書込まれるようになっていてもよい。
【００９４】
また、複数のデータ保存媒体が記録媒体に付されている場合には、全てのデータ保存媒体に係る位置データが検出されるとともに周辺文字データが生成され、それぞれの位置データと周辺文字データとが各データ保存媒体に書込まれるようになっていてもよい。
【００９５】
このように、データ書込み装置９００によれば、記録媒体におけるデータ保存媒体の位置を表す位置データとデータ保存媒体の周辺の文字データが予めデータ保存媒体に書込まれているために、データ保存媒体の周辺の文字データを検出することによって、限られた少ないデータ量で効率的に記録媒体の真贋判定をすることができる。
また、記録媒体におけるデータ保存媒体の位置を表す位置データとデータ保存媒体の周辺の文字データが予めデータ保存媒体に書込まれているために、データ保存媒体の転用による記録媒体の改ざんおよび偽造を容易に検出することができるため、データ保存媒体の転用による記録媒体の改ざんおよび偽造を防止することができる。
【００９６】
図１１は、本発明の第３の実施の形態の機器制御装置１１００の構成を示すブロック図である。
機器制御装置１１００は、記録媒体に記録されたデータと記録媒体に付されたデータ保存媒体に記録されたデータとに基づいて所定の処理を実行するデータ処理機器を制御するものであって、データ保存媒体に書込まれている位置データと第１の周辺文字データとを読み込むデータ読込手段１１１０と、記録媒体における位置データによって表された位置を中心に予め設定された範囲に描画された画像を読取る保存媒体周辺画像読取手段１１３０と、保存媒体周辺画像読取手段１１３０によって読取られた画像を文字データに変換して第２の周辺文字データを生成する周辺文字データ生成手段１１５０と、第１の周辺文字データと第２の周辺文字データとが同一か否かを判定するデータ同一判定手段１１６０と、データ同一判定手段１１６０によって第１の周辺文字データと第２の周辺文字データとが同一であると判定された場合にはデータ処理機器による所定の処理の実行を許容し、データ同一判定手段１１６０によって第１の周辺文字データと第２の周辺文字データとが同一ではないと判定された場合にはデータ処理機器による所定の処理の実行を禁止する処理実行制御手段１１９０と、によって構成される。
【００９７】
なお、機器制御装置１１００は、データ書込み装置９００によって位置データおよび周辺文字データが書込まれたデータ保存媒体が付された記録媒体を処理するものである。
【００９８】
ここで、記録媒体は、例えば、紙に第１のデータが印刷されているもので、有価証券、銀行通帳、パスポート、免許証、定期などである。また、第１のデータとは、例えば、文字および図柄を含むものである。
【００９９】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【０１００】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【０１０１】
ここで、上述のデータ処理機器とは、例えば、複写機、ファクシミリ、ＣＤ−ＲＯＭ再生装置、ＩＣカードリーダなどであり、記録媒体の形態によって異なるものである。
【０１０２】
データ読込手段１１１０は、データ保存媒体に書込まれている位置データと第１の周辺文字データとを読み込み、読み込まれた位置データを保存媒体周辺画像読取手段１１３０に出力し、読み込まれた第１の周辺文字データをデータ同一判定手段１１６０に出力するようになっている。
【０１０３】
保存媒体周辺画像読取手段１１３０には、データ読込手段１１１０によって出力された位置データが入力されるようになっており、保存媒体周辺画像読取手段１１３０は、記録媒体における位置データによって表された位置を中心に予め設定された範囲に描画された画像を読取り、周辺文字データ生成手段１１５０は、保存媒体周辺画像読取手段１１３０によって読取られた画像を文字データに変換して第２の周辺文字データを生成し、生成された第２の周辺文字データをデータ同一判定手段１１６０に出力するようになっている。
【０１０４】
データ同一判定手段１１６０には、データ読込手段１１１０によって出力された第１の周辺文字データと周辺文字データ生成手段１１５０によって出力された第２の周辺文字データが入力されるようになっており、データ同一判定手段１１６０は、入力された第１の周辺文字データと第２の周辺文字データとが同一か否かを判定して判定結果情報を生成し、生成された判定結果情報を処理実行制御手段１１９０に出力するようになっている。
【０１０５】
処理実行制御手段１１９０には、データ同一判定手段１１６０によって出力された判定結果情報が入力されるようになっている。
入力された判定結果情報によって第１の周辺文字データと第２の周辺文字データとが同一であると示されている場合には、処理実行制御手段１１９０は、データ処理機器による所定の処理の実行を許容するようになっている。
入力された判定結果情報によって第１の周辺文字データと第２の周辺文字データとが同一ではないと示されている場合には、処理実行制御手段１１９０は、データ処理機器による所定の処理の実行を禁止するようになっている。
【０１０６】
なお、データ処理機器による所定の処理の実行を許容された場合には、処理実行制御手段１１９０は、さらに、データ処理機器による記録媒体に記録されたデータと記録媒体に付されたデータ保存媒体に記録されたデータとに基づいた所定の処理の実行を制御するようになっている。
【０１０７】
次に、本発明の第３の実施の形態の機器制御装置１１００の動作について説明する。
図１２は、本発明の第３の実施の形態の機器制御装置１１００の動作の流れを示すフローチャートである。
【０１０８】
まず、データ保存媒体に書込まれている位置データと第１の周辺文字データとがデータ読込手段１１１０によって読み込まれる（Ｓ１２１０）。
次に、記録媒体におけるデータ読込手段１１１０によって読み込まれた位置データによって表された位置を中心に予め設定された範囲に描画された画像が保存媒体周辺画像読取手段１１３０によって読取られ、保存媒体周辺画像読取手段１１３０によって読取られた画像が文字データに変換され第２の周辺文字データが周辺文字データ生成手段１１５０によって生成される（Ｓ１２２０）。
【０１０９】
次いで、データ読込手段１１１０によって読み込まれた第１の周辺文字データと周辺文字データ生成手段１１５０によって生成された第２の周辺文字データとが同一か否かがデータ同一判定手段１１６０によって判定される（Ｓ１２３０）。
【０１１０】
データ同一判定手段１１６０によって第１の周辺文字データと第２の周辺文字データとが同一であると判定された場合には、データ処理機器による所定の処理の実行が処理実行制御手段１１９０によって許容され（Ｓ１２４０）、データ同一判定手段１１６０によって第１の周辺文字データと第２の周辺文字データとが同一ではないと判定された場合には、データ処理機器による所定の処理の実行が処理実行制御手段１１９０によって禁止される（Ｓ１２５０）。
【０１１１】
なお、複数のデータ保存媒体が記録媒体に付され、さらに、各データ保存媒体にそれぞれの位置データと第１の周辺文字データが書込まれている場合には、全てのデータ保存媒体について第１の周辺文字データと第２の周辺文字データとが同一か否かが判定され、判定に応じてデータ処理機器による所定の処理の実行が許容または禁止されるようになっていてもよい。
【０１１２】
このように、機器制御装置１１００によれば、記録媒体に付されたデータ保存媒体に予め書込まれたデータ保存媒体の周辺文字データが読み込まれ、記録媒体に付されたデータ保存媒体の周辺文字データが検出され、双方の周辺文字データが同一か否かの判定によるデータ量の少ないデータの比較による真贋判定ができるため、データ処理機器における改ざんおよび偽造された記録媒体に係るデータ処理を容易に禁止させることができる。
【０１１３】
（第４の実施の形態）
図１３は、本発明の第４の実施の形態のデータ書込み装置１３００の構成を示すブロック図である。
データ書込み装置１３００は、データ保存媒体が付された記録媒体における予め決められた位置データおよび範囲データを格納するデータ格納手段１３１０と、記録媒体における位置データによって表わされた位置を中心に範囲データによって表わされた範囲に描画された画像を読取る特定画像読取手段１３２０と、特定画像読取手段１３２０によって読取られた画像に基づいて特定画像データを生成する特定画像データ生成手段１３３０と、位置データと範囲データと特定画像データとをデータ保存媒体に書込むデータ書込み手段１３５０と、によって構成される。
【０１１４】
ここで、記録媒体は、例えば、紙に第１のデータが印刷されているもので、有価証券、銀行通帳、パスポート、免許証、定期などである。また、第１のデータとは、例えば、文字および図柄を含むものである。
【０１１５】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【０１１６】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【０１１７】
データ格納手段１３１０は、データ保存媒体が付された記録媒体における予め決められた位置データおよび範囲データを格納するようになっている。
なお、データ格納手段１３１０によって格納されている位置データおよび範囲データが表す記録媒体における予め決められた範囲とは、例えば記録媒体が書類、証券の場合には、金額、印影、証券番号、有効期限などが記載された範囲であり、記録媒体がパスポートや免許証などの場合には、名前、本人の写真、番号などが記載された範囲である。
【０１１８】
特定画像読取手段１３２０は、データ格納手段１３１０によって格納された位置データおよび範囲データを読み込み、記録媒体における位置データによって表された位置を中心に範囲データによって表された範囲に描画された画像を読取り、特定画像データ生成手段１３３０は、特定画像読取手段１３２０によって読取られた画像に基づいて特定画像データを生成し、生成された特定画像データをデータ書込み手段１３５０に出力するようになっている。
なお、特定画像データは、暗号化されたものでもよい。
【０１１９】
データ書込み手段１３５０には、特定画像データ生成手段１３３０によって出力された特定画像データが入力されるようになっており、データ書込み手段１３５０は、データ格納手段１３１０によって格納された位置データおよび範囲データを読み込み、読み込まれた位置データと範囲データと入力された特定画像データとを記録媒体に付されたデータ保存媒体に書込むようになっている。
【０１２０】
次に、本発明の第４の実施の形態のデータ書込み装置１３００の動作について説明する。
図１４は、本発明の第４の実施の形態のデータ書込み装置１３００の動作の流れを示すフローチャートである。
【０１２１】
まず、データ格納手段１３１０によって格納された位置データおよび範囲データが特定画像読取手段１３２０によって読み込まれ（Ｓ１４１０）、記録媒体における位置データによって表された位置を中心に範囲データによって表された範囲に描画された画像が特定画像読取手段１３２０によって読取られ、特定画像読取手段１３２０によって読取られた画像に基づいて特定画像データが特定画像データ生成手段１３３０によって生成される（Ｓ１４２０）。
【０１２２】
次に、データ格納手段１３１０によって格納された位置データと範囲データと特定画像データ生成手段１３３０によって生成された特定画像データとがデータ書込み手段１３５０によってデータ保存媒体に書込まれる（Ｓ１４３０）。
【０１２３】
このように、データ書込み装置１３００によれば、記録媒体における特定部分を表す位置データと範囲データと特定部分の画像データが予めデータ保存媒体に書込まれているために、記録媒体の特定部分の画像データを検出することによって、限られた少ないデータ量で効率的に記録媒体の真贋判定をすることができる。
また、記録媒体における特定部分を表す位置データと範囲データと特定部分の画像データが予めデータ保存媒体に書込まれているために、データ保存媒体の転用による記録媒体の改ざんおよび偽造を容易に検出することができるため、データ保存媒体の転用による記録媒体の改ざんおよび偽造を防止することができる。
【０１２４】
図１５は、本発明の第４の実施の形態の機器制御装置１５００の構成を示すブロック図である。
機器制御装置１５００は、記録媒体に記録されたデータと記録媒体に付されたデータ保存媒体に記録されたデータとに基づいて所定の処理を実行するデータ処理機器を制御するものであって、データ保存媒体に書込まれている位置データと範囲データと第１の特定画像データとを読み込むデータ読込手段１５１０と、記録媒体における位置データによって表された位置を中心に範囲データによって表される範囲に描画された画像を読取る特定画像読取手段１５３０と、特定画像読取手段１５３０によって読取られた画像に基づいて第２の特定画像データを生成する特定画像データ生成手段１５４０と、第１の特定画像データと第２の特定画像データとが同一か否かを判定するデータ同一判定手段１５６０と、データ同一判定手段１５６０によって第１の特定画像データと第２の特定画像データとが同一であると判定された場合にはデータ処理機器による所定の処理の実行を許容し、データ同一判定手段１５６０によって第１の特定画像データと第２の特定画像データとが同一ではないと判定された場合にはデータ処理機器による所定の処理の実行を禁止する処理実行制御手段１５９０と、によって構成される。
【０１２５】
なお、機器制御装置１５００は、データ書込み装置１３００によって位置データと範囲データと特定画像データとが書込まれたデータ保存媒体が付された記録媒体を処理するものである。
【０１２６】
ここで、記録媒体は、例えば、紙に第１のデータが印刷されているもので、有価証券、銀行通帳、パスポート、免許証、定期などである。また、第１のデータとは、例えば、文字および図柄を含むものである。
【０１２７】
なお、記録媒体は、紙に限定されるものではなく、ＣＤ−ＲＯＭ（Ｃｏｍｐａｃｔ　Ｄｉｓｃ　Ｒｅａｄ　Ｏｎｌｙ　Ｍｅｍｏｒｙ）、ＩＣカード、メモリカード、プラスチックカード等の記録媒体を含むものでもよく、この場合、第１のデータとは、記録媒体に格納されているデータを意味するものである。
【０１２８】
さらに、データ保存媒体は、第２のデータを格納しているものであり、記録媒体に埋め込まれていても貼り込まれていてもよい。
また、第２のデータとは、例えば、第１のデータの読取許可情報もしくは記録許可情報、第１のデータの通信を許可するか否かの通信許可情報、第１のデータの表示を許可するか否かの表示許可情報、および記録媒体の有効期限であってもよい。
【０１２９】
ここで、上述のデータ処理機器とは、例えば、複写機、ファクシミリ、ＣＤ−ＲＯＭ再生装置、ＩＣカードリーダなどであり、記録媒体の形態によって異なるものである。
【０１３０】
データ読込手段１５１０は、データ保存媒体に書込まれている位置データと範囲データと第１の特定画像データとを読み込み、読み込まれた位置データと範囲データとを特定画像読取手段１５３０に出力し、読み込まれた第１の特定画像データをデータ同一判定手段１５６０に出力するようになっている。
【０１３１】
特定画像読取手段１５３０には、データ読込手段１５１０によって出力された位置データと範囲データとが入力されるようになっており、特定画像読取手段１５３０は、記録媒体における位置データによって表された位置を中心に範囲データによって表された範囲に描画された画像を読取り、特定画像データ生成手段１５４０は、特定画像読取手段１５３０によって読取られた画像に基づいて第２の特定画像データを生成し、生成された第２の特定画像データをデータ同一判定手段１５６０に出力するようになっている。
【０１３２】
データ同一判定手段１５６０には、データ読込手段１５１０によって出力された第１の特定画像データと特定画像データ生成手段１５４０によって出力された第２の特定画像データが入力されるようになっており、データ同一判定手段１５６０は、入力された第１の特定画像データと第２の特定画像データとが同一か否かを判定して判定結果情報を生成し、生成された判定結果情報を処理実行制御手段１５９０に出力するようになっている。
【０１３３】
処理実行制御手段１５９０には、データ同一判定手段１５６０によって出力された判定結果情報が入力されるようになっている。
入力された判定結果情報によって第１の特定画像データと第２の特定画像データとが同一であると示されている場合には、処理実行制御手段１５９０は、データ処理機器による所定の処理の実行を許容するようになっている。
入力された判定結果情報によって第１の特定画像データと第２の特定画像データとが同一ではないと示されている場合には、処理実行制御手段１５９０は、データ処理機器による所定の処理の実行を禁止するようになっている。
【０１３４】
なお、データ処理機器による所定の処理の実行を許容された場合には、処理実行制御手段１５９０は、さらに、データ処理機器による記録媒体に記録されたデータと記録媒体に付されたデータ保存媒体に記録されたデータとに基づいた所定の処理の実行を制御するようになっている。
【０１３５】
次に、本発明の第４の実施の形態の機器制御装置１５００の動作について説明する。
図１６は、本発明の第４の実施の形態の機器制御装置１５００の動作の流れを示すフローチャートである。
【０１３６】
まず、データ保存媒体に書込まれている位置データと範囲データと第１の特定画像データとがデータ読込手段１５１０によって読み込まれる（Ｓ１６１０）。
次に、記録媒体における位置データによって表された位置を中心に範囲データによって表された範囲に描画された画像が特定画像読取手段１５３０によって読取られ、特定画像読取手段１５３０によって読取られた画像に基づいた第２の特定画像データが特定画像データ生成手段１５４０によって生成される（Ｓ１６２０）。
【０１３７】
次いで、データ読込手段１５１０によって読み込まれた第１の特定画像データと特定画像データ生成手段１５４０によって生成された第２の特定画像データとが同一か否かがデータ同一判定手段１５６０によって判定される（Ｓ１６３０）。
【０１３８】
データ同一判定手段１５６０によって第１の特定画像データと第２の特定画像データとが同一であると判定された場合には、データ処理機器による所定の処理の実行が処理実行制御手段１５９０によって許容され（Ｓ１６４０）、データ同一判定手段１５６０によって第１の特定画像データと第２の特定画像データとが同一ではないと判定された場合には、データ処理機器による所定の処理の実行が処理実行制御手段１５９０によって禁止される（Ｓ１６５０）。
【０１３９】
このように、機器制御装置１５００によれば、記録媒体に付されたデータ保存媒体に予め書込まれた記録媒体における特定部分を表す位置データと範囲データと特定部分の画像データとが読み込まれ、特定部分の画像データが検出され、双方の画像データが同一か否かの判定によるデータ量の少ないデータの比較による真贋判定ができるため、データ処理機器における改ざんおよび偽造された記録媒体に係るデータ処理を容易に禁止させることができる。
【０１４０】
なお、データ書込み装置１００、機器制御装置３００、データ書込み装置５００およびデータ書込み装置９００を構成する保存媒体位置検出手段による記録媒体におけるデータ保存媒体の位置データの検出は、例えば、記録媒体にエックス線を照射し、エックス線の透過率が予め設定された値以下である位置を検出することによって行われてもよい。また、記録媒体の表面の凹凸データを検出し、凹凸データに基づいて凸データが予め設定された値以上である位置を検出することによって行われてもよい。また、記録媒体全体に電磁波を照射し、応答信号が返ってきた場所を検出することによって行われてもよい。
【０１４１】
【発明の効果】
以上説明したように、本発明は、少ないデータ量でデータ保存媒体が付された記録媒体の真贋判定を行うことができるデータ書込み装置および機器制御装置を提供することができるものである。
【図面の簡単な説明】
【図１】本発明の第１の実施の形態のデータ書込み装置の構成を示すブロック図である。
【図２】本発明の第１の実施の形態のデータ書込み装置の動作の流れを示すフローチャートである。
【図３】本発明の第１の実施の形態の機器制御装置の構成を示すブロック図である。
【図４】本発明の第１の実施の形態の機器制御装置の動作の流れを示すフローチャートである。
【図５】本発明の第２の実施の形態のデータ書込み装置の構成を示すブロック図である。
【図６】本発明の第２の実施の形態のデータ書込み装置の動作の流れを示すフローチャートである。
【図７】本発明の第２の実施の形態の機器制御装置の構成を示すブロック図である。
【図８】本発明の第２の実施の形態の機器制御装置の動作の流れを示すフローチャートである。
【図９】本発明の第３の実施の形態のデータ書込み装置の構成を示すブロック図である。
【図１０】本発明の第３の実施の形態のデータ書込み装置の動作の流れを示すフローチャートである。
【図１１】本発明の第３の実施の形態の機器制御装置の構成を示すブロック図である。
【図１２】本発明の第３の実施の形態の機器制御装置の動作の流れを示すフローチャートである。
【図１３】本発明の第４の実施の形態のデータ書込み装置の構成を示すブロック図である。
【図１４】本発明の第４の実施の形態のデータ書込み装置の動作の流れを示すフローチャートである。
【図１５】本発明の第４の実施の形態の機器制御装置の構成を示すブロック図である。
【図１６】本発明の第４の実施の形態の機器制御装置の動作の流れを示すフローチャートである。
【符号の説明】
１００、５００、９００、１３００　データ書込み装置
１１０、３２０、５１０、９１０　保存媒体位置検出手段
１５０、５５０、９５０、１３５０　データ書込み手段
３００、７００、１１００、１５００　機器制御装置
３１０、７１０、１１１０、１５１０　データ読込手段
３６０、７６０、１１６０、１５６０　データ同一判定手段
３９０、７９０、１１９０、１５９０　処理実行制御手段
５２０、７３０、９２０、１１３０　保存媒体周辺画像読取手段
５３０、７４０　周辺画像データ生成手段
９４０、１１５０　周辺文字データ生成手段
１３１０　データ格納手段
１３２０、１５３０　特定画像読取手段
１３３０、１５４０　特定画像データ生成手段
【図１】
2004110275.tif 000003
【図２】
2004110275.tif 000004
【図３】
2004110275.tif 000005
【図４】
2004110275.tif 000006
【図５】
2004110275.tif 000007
【図６】
2004110275.tif 000008
【図７】
2004110275.tif 000009
【図８】
2004110275.tif 000010
【図９】
2004110275.tif 000011
【図１０】
2004110275.tif 000012
【図１１】
2004110275.tif 000013
【図１２】
2004110275.tif 000014
【図１３】
2004110275.tif 000015
【図１４】
2004110275.tif 000016
【図１５】
2004110275.tif 000017
【図１６】
2004110275.tif 000018